(57)【要約】【課題】  二番コンベアの回転方向を工夫することによって、二番物に含まれる穀粒と藁屑の選別能力を向上させることができて、かつ製造コストを削減することのできる脱穀装置の選別部構造を実現する。【解決手段】  一番コンベア１１と二番コンベア１２の間に、二番コンベア１２の上方を通って揺動選別装置Ｂの処理物搬送終端部に向う選別風を供給する回転ファン１３を備えてある脱穀装置１の選別部構造において、二番コンベア１２の回転方向を、フィードチェーン２側から見た側面視で反時計回りに設定する。【選択図】図３
2008017706.tif 000002
【特許請求の範囲】
【請求項１】
揺動選別装置と、前記揺動選別装置からの一番物を搬送する一番コンベアと、前記揺動選別装置からの二番物を搬送する二番コンベアとを備え、
前記一番及び二番コンベアの間に、前記二番コンベアの上方を通って揺動選別装置の処理物搬送終端部に向う選別風を供給する回転ファンを備えてある脱穀装置の選別部構造であって、
前記二番コンベアの回転方向を、フィードチェーン側から見た側面視で反時計回りに設定してある脱穀装置の選別部構造。
【請求項２】
前記回転ファンの回転方向を、フィードチェーン側から見た側面視で反時計回りに設定してある請求項１記載の脱穀装置の選別部構造。
【発明の詳細な説明】
【技術分野】
【０００１】
本発明は、一番及び二番コンベアの間に、二番コンベアの上方を通って揺動選別装置の処理物搬送終端部に向う選別風を供給する回転ファンを備えてある脱穀装置の選別部構造に関する。
【背景技術】
【０００２】
従来の技術としては、例えば、特許文献１に開示されているように、一番及び二番コンベアの間に回転ファンを備えた脱穀装置の選別部構造において、二番コンベアの回転方向を、回転ファンと同様に、フィードチェーン側から見た側面視で時計回りに設定されているものが知られている。
【０００３】
【特許文献１】特開平１１−２２５５６１号公報（図１）
【発明の開示】
【発明が解決しようとする課題】
【０００４】
特許文献１に開示されているように、一番及び二番コンベアの間に回転ファンを備えて、回転ファンから二番コンベアの上方に向って選別風を供給することで、二番物に含まれる藁屑を揺動選別装置の処理物搬送終端部に位置する排塵口に向って排出することができて、二番物に含まれる穀粒と藁屑を選別することができる。
しかし、二番コンベアの回転方向を、フィードチェーン側から見た側面視で時計回りに設定すると、回転ファンから供給される選別風が向う方向と略同じ方向に向って二番コンベアから二番物が跳ね上げられるため、二番コンベアの上方で二番コンベアによって跳ね上げられた二番物に含まれる穀粒と藁屑があまり拡散しないものと考えられる。そのため、二番物に含まれる穀粒と藁屑を多く拡散することができれば、選別風による穀粒と藁屑の選別を促すことができて、二番物に含まれる穀粒と藁屑の選別能力を向上させることが期待できる。従って、更なる選別能力の向上のため改良の余地がある。
【０００５】
また、処理胴等（処理胴、唐箕等）の回転方向は、通常、フィードチェーン側から見た側面視で反時計回りである。そのため、二番コンベアの回転方向を、フィードチェーン側から見た側面視で時計回りに設定して、処理胴等と二番コンベアをベルトで巻き掛け伝動しようとすると、回転方向が異なるため、回転方向を逆転させるための逆転ギアケースや逆転アイドラ等を使用する必要があり、製造コストがアップする一因となっていた。
本発明は、二番コンベアの回転方向を工夫することによって、二番物に含まれる穀粒と藁屑の選別能力を向上させることができて、かつ、製造コストを削減することのできる脱穀装置の選別部構造を実現することを目的としている。
【課題を解決するための手段】
【０００６】
［Ｉ］
（構成）
本発明の第１特徴は、揺動選別装置と、前記揺動選別装置からの一番処理物を搬送する一番コンベアと、前記揺動選別装置からの二番処理物を搬送する二番コンベアとを備え、前記一番及び二番コンベアの間に、前記二番コンベアの上方を通って揺動選別装置の処理物搬送終端部に向う選別風を供給する回転ファンを備えてある脱穀装置の選別部構造において、次のように構成することにある。
前記二番コンベアの回転方向を、フィードチェーン側から見た側面視で反時計回りに設定する。
【０００７】
（作用）
本発明の第１特徴によると、例えば図３に示すように、二番コンベア１２の回転方向を、フィードチェーン側から見た側面視で反時計回りに設定することにより、回転ファン１３から二番コンベア１２の上方に向って供給された選別風の向う方向に対して、この選別風と対向する方向（選別風と衝突する方向）に二番コンベア１２から二番物を跳ね上げることができる。そのため、二番コンベア１２から跳ね上げられた二番物を回転ファン１３から供給された選別風に衝突させて、二番物に含まれる穀粒と藁屑を多く拡散させることができる。
【０００８】
二番コンベアの回転方向を、フィードチェーン側から見た側面視で反時計回りに設定することにより、処理胴等を備えた脱穀装置の場合には、二番コンベアの回転方向を処理胴等と同じ回転方向に設定することができる。
【０００９】
（発明の効果）
本発明の第１特徴によると、二番コンベアから跳ね上げられた二番物に含まれる穀粒と藁屑を多く拡散させることができるため、選別風による穀粒と藁屑の選別を促すことができて、二番物に含まれる穀粒と藁屑の選別能力を向上させることができる。
【００１０】
二番コンベアの回転方向を処理胴等と同じ回転方向に設定することができるため、処理胴等と二番コンベアをベルトで巻き掛け伝動する場合、二番コンベアの回転方向を逆転させるための逆転ギアケースや逆転アイドラ等を使用する必要がない。そのため、部品点数が少なくなって、製造コストを削減することができる。
【００１１】
［ＩＩ］
（構成）
本発明の第２特徴は、本発明の第１特徴の脱穀装置の選別部構造において次のように構成することにある。
前記回転ファンの回転方向を、フィードチェーン側から見た側面視で反時計回りに設定する。
【００１２】
（作用）
本発明の第２特徴によると、本発明の第１特徴と同様に前項［Ｉ］に記載の「作用」を備えており、これに加えて以下のような「作用」を備えている。
【００１３】
本発明の第２特徴によれば、回転ファンの回転方向を、フィードチェーン側から見た側面視で反時計回りに設定することにより、処理胴等を備えた脱穀装置の場合には、回転ファンの回転方向を処理胴等及び二番コンベアと同じ回転方向に設定することができる。
【００１４】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、回転ファンの回転方向を処理胴等及び二番コンベアと同じ回転方向に設定することができるため、処理胴等と回転ファンをベルトで巻き掛け伝動する場合や、二番コンベアと回転ファンをベルトで巻き掛け伝動する場合に、回転ファンの回転方向を逆転させるための逆転ギアケースや逆転アイドラ等を使用する必要がない。そのため、部品点数が少なくなって、製造コストを削減することができる。
【発明を実施するための最良の形態】
【００１５】
図１に、コンバインに搭載された脱穀装置１を示している。この脱穀装置１は、その上部側に扱室Ａ、中間部側に揺動選別装置Ｂ、下部側に回収装置Ｃを配設している。脱穀装置１には、刈取処理された穀稈をフィードチェーン２で挟持搬送しながら扱処理する扱胴３を扱室Ａに軸架するとともに、扱処理された処理物を漏下させる受網５を扱胴３の下方側に配設している。なお、フィードチェーン２は、図１における手前側に配置されており、図１が、フィードチェーン２側から見た側面視に相当する。また、以下の説明において図１〜図３における左方を前方と、図１〜図３における右方を後方と表示する。
【００１６】
揺動選別装置Ｂには、受網５から漏下した処理物を受け止めるグレンパン６、このグレンパン６の後方に順に位置させたチャフシーブ７及びストローラック８、チャフシーブ７の下方に位置するグレンシーブ９を、前後揺動駆動されるシーブケース１６に架設するとともに、グレンパン６の下方側に風量調整可能な唐箕１０を設けている。
【００１７】
回収装置Ｃには、グレンシーブ９の下方にグレンシーブ９からの漏化物（一番物）を回収して横一側に横送りする一番コンベア１１を配設するとともに、グレンシーブ９やチャフシーブ７等からの漏化物（二番物）を回収して横一側に横送りする二番コンベア１２を配設している。一番コンベア１１と二番コンベア１２の間には、二番コンベア１２の上方を通って揺動選別装置Ｂの処理物搬送終端部に位置する排塵口１５に向って選別風を供給する回転ファン１３が配設されている。扱胴３の後方下方には処理胴１４を備え、扱胴３の後端部から排出される処理物をこの処理胴１４によって解し処理し、塵埃から穀粒を取り出すように構成されている。
【００１８】
図２及び図３に示すように、一番コンベア１１の下方にコンベアケース１８を備え、このコンベアケース１８から回転ファン１３の上方に向って、上側ファンケース１９が配設されている。この上側ファンケース１９の下面で、回転ファン１３の略真上に当たる位置には、回転ファン１３からの選別風を二番コンベア１２の上方に導くための折り曲げ成形されたガイド板１９ａが固着されている。回転ファン１３と二番コンベア１２との間には回転ファン１３の外周に沿って、く字状に折り曲げ成形された下側ファンケース２０を備え、この下側ファンケース２０と上述した上側ファンケース１９とで、回転ファン１３の下側から吸い込んだ空気を二番コンベア１２の上方に向って供給するように構成されている。
【００１９】
二番コンベア１２の下方にはコンベアケース２１を備えて、このコンベアケース２１の前方上端部は、下側ファンケース２０の上端部と当接する位置から斜め後方上方に向って折り曲げ成形されている。このようにコンベアケース２１を構成することで、二番コンベア１２が回転することによって跳ね上げられた二番物が回転ファン１３側に入り込まないようになっている。
【００２０】
図１及び図２に示すように、この脱穀装置１の一番コンベア１１、二番コンベア１２、回転ファン１３及び処理胴１４の回転方向は、すべてフィードチェーン２側から見た側面視で、反時計回りに回転するように設定されている。
【００２１】
図２の２点鎖線は、一番コンベア１１、二番コンベア１２、回転ファン１３、処理胴１４及び排塵ファン４のベルト伝動構造を示した概略であり、各機器の回転軸心に対して図示した円弧はプーリー２３を示し、一番コンベア１１と回転ファン１３の間及び回転ファン１３と二番コンベア１２の間の円弧は、それぞれアイドラ２４を示す。処理胴１４と排塵ファン４の間に位置する円弧は、揺動選別装置Ｂを揺動させるプーリー２３と、アイドラ２４を介してベルト２８で連動するための分岐プーリー２５を示す。排塵ファン４は他の機器と回転方向が異なるため、プーリー２３から逆転ギアケース２６を介して排塵ファン４に接続されている。
【００２２】
一番コンベア１１、二番コンベア１２、回転ファン１３、処理胴１４及び排塵ファン４を駆動する複数のプーリー２３は、２つのアイドラ２４及び分岐プーリー２５を介して一本のベルト２７で巻き掛け伝動されている。そのため、従来（例えば特許文献１）のように、処理胴１４の回転方向と、回転ファン１３及び二番コンベア１２の回転方向が異なる場合に比べ、これらの回転方向を逆転させるための逆転ギアケース（図示せず）や逆転アイドラ（図示せず）等を設ける必要がなく、ベルト伝動構造を簡素化することができ、製造コスト削減を図ることができる。
【００２３】
図３に示すように、回転ファン１３がフィードケース２側から見た側面視で反時計回りに回転すると、選別風が上側ファンケース１９と下側ファンケース２０に案内されて、二番コンベア１２の上方に向かう。一方、二番コンベア１２がフィードケース２側から見た側面視で反時計回りに回転すると、二番物が回転ファン１３の吹き出し口２２の方向に向かって跳ね上げられる。二番コンベア１２によって跳ね上げられた二番物が回転ファン１３から供給された選別風と衝突し、二番物に含まれる穀粒と藁屑を拡散させることで、比重の重い穀粒は再び二番コンベア１２に向かって落下し、比重の軽い藁屑は回転ファン１３から吹き出された選別風に乗って揺動選別装置Ｂの処理物搬送終端部に位置する排塵口１５に導かれる。このように、二番コンベア１２と回転ファン１３の回転方向を設定することによって、その回転を有効に活用して二番コンベア１２の上方で二番物に含まれる穀粒と藁屑を拡散させることで、二番物に含まれる穀粒と藁屑の選別能力を向上させることができる。
【００２４】
なお、この脱穀装置１においては、一番コンベア１１の回転方向についても、フィードケース２側から見た側面視で反時計回りに回転するように設定されている。この一番コンベア１１の上方には、唐箕１０から供給された唐箕風が通過するため、この一番コンベアによって跳ね上げられた一番物が、上述した二番コンベヤ１２の場合と同様に、唐箕風と衝突し、一番物に含まれる穀粒と藁屑を拡散させることができ、一番物に含まれる穀粒と藁屑の選別能力を向上させることができるように構成されている。
【００２５】
［発明の実施の第１別形態］
前述の［発明を実施するための最良の形態］においては、回転ファン１３の回転方向を、フィードチェーン２側から見た側面視で反時計回りに設定した例を示したが、回転ファン１３の回転方向を、フィードチェーン２側から見た側面視で時計回りに設定してもよい。このように、回転ファン１３の回転方向を、フィードチェーン２側から見た側面視で時計回りに設定した場合であっても、二番物に含まれる穀粒と藁屑の選別能力を向上させることができる。ただし、処理胴１４や二番コンベア１２と回転方向が異なることになるため、ベルト２７で巻き掛け伝動する場合には、回転ファン１３の回転方向を逆転させるための逆転ギアケース（図示せず）や逆転アイドラ（図示せず）等を設ける必要がある。
【００２６】
［発明の実施の第２別形態］
前述の［発明を実施するための最良の形態］及び［発明の実施の第１別形態］においては、コンバインに搭載した脱穀装置１の選別部構造を例に示したが、コンバインに搭載する脱穀装置１に限らず、例えば、刈取部（図示せず）を備えていないハーベスタ（図示せず）に搭載する脱穀装置１においても同様に適用できる。
【図面の簡単な説明】
【００２７】
【図１】脱穀装置の縦断側面図
【図２】回転ファン等の配置及びベルト伝動構造を示す縦断側面図
【図３】二番コンベア付近の処理物の拡散状態を示す縦断側面図
【符号の説明】
【００２８】
１        脱穀装置
２        フィードチェーン
１１      一番コンベア
１２      二番コンベア
１３      回転ファン
Ｂ        揺動選別装置
【図１】
2008017706.tif 000003
【図２】
2008017706.tif 000004
【図３】
2008017706.tif 000005